(57)【要約】【目的】内部に可撓性材料、ゲル状物質や気体を封入した把持部は任意に変形してしまうため腰がなく柔らかすぎて筆記感が悪いという欠点があった。そこで、握った指先の形状に変形すると共に、腰のある把持感が得られる軸体の把持部を提供する。【構成】軸体の把持部に少なくとも弾性樹脂を配置及び／または一体に設けた軸体において、前記軸体と前記把持部との間に空間を設け、この空間に微細な固体を配した軸体。また、軸体の把持部に少なくとも弾性樹脂を配置及び／または一体に設けた軸体において、前記把持部内部に空間を設け、この空間に微細な固体を配した軸体。【選択図】        図２
2005199594.tif 000002
【特許請求の範囲】
【請求項１】
軸体の把持部に少なくとも弾性樹脂を配置及び／または一体に設けた軸体において、前記軸体と前記把持部との間に空間を設け、この空間に微細な固体を配したことを特徴とする軸体。
【請求項２】
軸体の把持部に少なくとも弾性樹脂を配置及び／または一体に設けた軸体において、前記把持部内部に空間を設け、この空間に微細な固体を配したことを特徴とする軸体。
【請求項３】
軸体の把持部に少なくとも弾性樹脂を配置及び／または一体に設けた軸体において、前記軸体と前記把持部との間に空間を設け、さらに前記把持部内部に空間を設け、この空間に微細な固体を配したことを特徴とする軸体。
【請求項４】
前記軸体と前記把持部との間に設けた空間及び／または前記把持部内部に設けた空間に微細な固体及び弾性樹脂を配したことを特徴とする請求項１〜請求項３の何れかに記載の軸体。
【請求項５】
前記軸体と前記把持部との間に設けた空間及び／または前記把持部内部に設けた空間に微細な固体及び粘稠物を配したことを特徴とする請求項１〜請求項３の何れかに記載の軸体。
【請求項６】
前記空間に配する微細な固体が粒子状及び／または繊維状であることを特徴とする請求項１〜請求項６の何れかに記載の軸体。
【発明の詳細な説明】
【技術分野】
【０００１】
本発明は、軸体の少なくとも把持する部分に弾性樹脂を設けた軸体に関するものであり、その軸体の１例としては、ボールペンやシャープペンシルなどの筆記具や、口紅やアイライナーなど細長い容器、釣り竿、ドアノブ、ドライバーなどの工具類が挙げられる。
【背景技術】
【０００２】
把持する部分には、滑り止めや把持のしやすさといった効果を持たせるために様々な発明がなされている。滑り止めとしては、シリコーンやエラストマーといった弾性樹脂を把持部に配置した構成（グリップ）が採られており、把持部の内部に可撓性材料、ゲル状物質や気体を封入することによって持ちやすい把持部を形成している。
【特許文献１】特開平７−２９９９８４号公報
【特許文献２】特許第３４３１３１７号公報
【発明の開示】
【発明が解決しようとする課題】
【０００３】
しかし、内部に可撓性材料、ゲル状物質や気体を封入した把持部は任意に変形してしまうため腰がなく柔らかすぎて筆記感が悪いという欠点があった。
【課題を解決するための手段】
【０００４】
そこで、本発明は、軸体の把持部に少なくとも弾性樹脂を配置及び／または一体に設けた軸体において、前記軸体と前記把持部との間に空間を設け、この空間に微細な固体を配したこと及び、前記把持部内部に空間を設け、この空間に微細な固体を配したことを特徴とする軸体を要旨とするものであって、特に、前記微細な固体が粒子状及び／または繊維状であることが好ましい。
【０００５】
軸体１の材質は、金属や樹脂、木材、石材など形成できるものであればよく、把持部２を形成する材料が軸体１を形成できる強度を有していれば、その材料で把持部を軸体自体に形成することも可能であり、特に限定されない。また、これらの材質は１種または２種以上の混合物であってもよい。
【０００６】
把持部２には、弾性樹脂３が配されている。その具体例としては、アクリル樹脂、シリコーン樹脂、フッ素樹脂、塩化ビニル、ウレタン樹脂、ポリウレタン樹脂、ポリエチレン樹脂、ジメチル系シリコーン、メチルビニル系シリコーン、メチルフェニルビニル系シリコーン、メチルフルオロアルキル系シリコーン（フロロシリコーン）、フロロ−ジメチル共重合シリコーン、ウレタンゴム、エチレンアクリルゴム、エピクロルヒドリンゴム、アクリルゴム、エチレンプロピレンゴム、クロロプレンゴム、天然ゴム、イソプレンゴム、塩素化ポリエチレン、ニトリルゴム、スチレン系エラストマー、オレフィン系エラストマー、エステル系エラストマー、ウレタン系エラストマーなどが挙げられるが、形状が維持できるものであれば特に限定されない。これら弾性樹脂は１種または２種以上の混合物であってもよい。
【０００７】
これら弾性樹脂には触り心地や指先へのフィット感の向上、着色や文様といった意匠性の向上、抗菌や汗の吸放出、光触媒反応による自己洗浄といった機能性の付与のために粉体、微粒子、発泡剤などが含まれてもよい。
その粉体の具体例としては、スチレン、ナイロン、ポリオレフィン、シリコーン、エポキシ、ポリメタクリル酸メチルなどの樹脂粉体や、シリカ、アルミナ、ジルコニア、ガラス片、金属片などの無機粉体、シルクパウダー、木粉、コルク粉などの天然素材を粉体化したものなどが挙げられる。また、それらの粉体に、アクリル系、ウレタン系、エポキシ系などの粉体塗膜を被覆した複合粉体、さらには、自動乳鉢、ボールミル、ジェットミル、アトマイザー、ハイブリダイザーなどを用いて樹脂粉体にこの樹脂粉体より小さい無機粉体を吸着させたり、打ち込んだりしたものなども挙げられ、特に限定されない。また、粉体の形状は、無定型、球状、板状、針状などが用いられ、特に限定するものではない。これら粉体は１種または２種以上添加してもよい。
【０００８】
また、前記微粒子の具体例としては、カーボンブラック、グラファイトや、酸化チタン、酸化錫、酸化インジウムなどの酸化物、窒化チタン、窒化クロム、窒化ジルコニウム、窒化タンタルなどの窒化物、炭化チタン、炭化ジルコニウム、炭化タンタルなどの炭化物、ホウ化チタン、ホウ化ジルコニウム、ホウ化タンタルなどのホウ化物が挙げられ、特に限定されない。また、微粒子の形状は無定型、鱗片状、球状、繊維状などを用いることができる。これら微粒子は、１種または２種以上添加してもよい。
【０００９】
前記発泡剤は、化学発泡剤、物理発泡剤、熱膨張性マイクロカプセルなどが用いられる。化学発泡剤の具体例は、アゾ化合物、ニトロソ化合物、ヒドラジン誘導体、セミカルバジド化合物、アジド化合物、トリアゾール化合物などの有機系熱分解型発泡剤、イソシアネート化合物などの有機系反応型発泡剤、重炭酸塩、炭酸塩、亜硫酸塩、水素化物などの無機系熱分解型発泡剤、重炭酸ナトリウム＋酸、過酸化水素＋イースト菌、亜鉛粉末＋酸などの無機系反応型発泡剤などが挙げられる。
物理発泡剤の具体例は、ブタン、ペンタン、ヘキサン、ジクロルエタン、ジクロルメタン、フロン、空気、炭酸ガス、窒素ガスなどが挙げられる。
熱膨張性マイクロカプセルの具体例は、イソブタン、ペンタン、石油エーテル、ヘキサンなどの低沸点炭化水素を芯物質とし、塩化ビニリデン、アクリロニトリル、アクリル酸エステル、メタクリル酸エステルなどの共重合体からなる熱可塑性樹脂を壁物質としたマイクロカプセルなどが挙げられ、特に限定されない。これら発泡剤は、１種または２種以上添加してもよい。
【００１０】
把持部を構成する弾性樹脂の硬度は１０度から９０度までの硬度範囲の中で適宜選択すればよく、特に限定されるものではない。ただし、人体に当接する弾性樹脂の硬度は２０度以下では表面のべたつきが激しくかえって把持しにくい、ゴミなどが付着しやすくゴミの除去も困難であるといった問題があることから弾性樹脂は３０度から７０度が望ましい。
【００１１】
又、把持部を構成する弾性樹脂の表面は滑らかな面や粗な面に成形できる。摩擦抵抗を高め、指先表面の引っかかりをよくするためには表面を鏡面の様に滑らかに、摩擦抵抗を低くしてさらさらした触感やゴミ、ほこりを付きにくくするためには表面を粗にすればよい。更に、把持部を構成する弾性樹脂の表面には適度な凹凸を形成してもよい。
【００１２】
把持部２の製造方法としては、圧縮成形やトランスファー成形、射出成形、押出成形、真空注形といった方法で成形した弾性樹脂を軸体に装着する方法や、インサート成形で形成するといった方法が挙げられるが、製造方法は特に限定されない。
【００１３】
微細な固体４は軸体と把持部との間に設けられた空間及び／または把持部内部に設けられた空間に配されている。微細な固体４の具体的な例としては、ステンレス、洋白、ジルコニア、ルビーボール等の硬球、ダイヤモンド、ルビー、サファイヤ、めのう、水晶等の鉱石、御影石、大理石等の岩石、ポリエチレン、ポリエチレンテレフタラート、塩化ビニル、ＡＢＳ、ＡＳ、ＰＭＭＡ、ポリプロピレン、ポリカーボネート等の樹脂やその発泡体、アクリル樹脂、シリコーン樹脂、フッ素樹脂、ウレタン樹脂、ポリウレタン樹脂、ジメチル系シリコーン、メチルビニル系シリコーン、メチルフェニルビニル系シリコーン、メチルフルオロアルキル系シリコーン（フロロシリコーン）、フロロ−ジメチル共重合シリコーン、ウレタンゴム、エチレンアクリルゴム、エピクロルヒドリンゴム、アクリルゴム、エチレンプロピレンゴム、クロロプレンゴム、天然ゴム、イソプレンゴム、塩素化ポリエチレン、ニトリルゴム、スチレン系エラストマー、オレフィン系エラストマー、エステル系エラストマー、ウレタン系エラストマー等の弾性樹脂、ナイロン、絹、綿等の繊維、ガラスなどが挙げられるが、微細な固体が形成できればよく特に限定はされない。また、これらの微細な固体は１種または２種以上の混合物であってもよい。
【００１４】
微細な固体４の形状は粒子状、繊維状、不定形状等様々な形状の固体が利用できる。硬球などの真球に近い形状の微細な固体を配した場合には、把持した際の変形が速く、また、放した時の形状復元も速い。岩石やガラスを粉砕した不定形の微細な固体を配した場合には、把持した際の変形は遅いが腰がある把持感があり、また、放した時にも形状をある程度記憶している。微細な固体の大きさは空間の大きさによって異なるが、空間の最小の幅より小さければよく、特に限定されない。また、これらの微細な固体の大きさは１種または２種以上の混合物であってもよい。
【００１５】
軸体と把持部との間及び／または把持部内部に設けられた空間には微細な固体４の他に、微細な固体の流動性、形状保持性を補助するために弾性樹脂やゲル状物質や粘稠物などの補助材を配してもよい。また、これらの補助材は１種または２種以上の混合物であってもよい。
【発明の効果】
【００１６】
本発明は、軸体と把持部との間に空間を設け、この空間に微細な固体を配したこと及び、把持部内部に空間を設け、この空間に微細な固体を配することによって、従来の弾性樹脂のみの把持部より変形能力を向上させ、かつ、可撓性材料、ゲル状物質や気体のみを封入した把持部より腰がある把持部となっている。さらに、把持した指先の形状に合わせて変形し、形状を保持するため、接触面積が増え、握る圧力が分散される。また、指先以外の把持部分、例えば筆記具の指間当節部に配することによって握りやすい形状の軸体となる。握りやすさの向上のほかに、弾性樹脂を透明にすることによって、内部の微細な固体の色や動きを楽しめるといった装飾的な効果もある。
【発明を実施するための最良の形態】
【００１７】
本発明は、把持しやすい軸体を提供するため、軸体と把持部との間に空間を設け、この空間に微細な固体を配したこと及び、把持部内部に空間を設け、この空間に微細な固体を配したことを最も主要な特徴とする。把持した指先の形状に合わせて変形し、形状を保持する目的を実現した。
【００１８】
図１は、本発明を筆記具の把持部に使用した実施例１の全体図である。図２は図１のａ−Ａ線断面図である。また、参照符号１は軸体、２は把持部、３は弾性樹脂、４は微細な固体である。
【００１９】
把持部２は弾性樹脂３と微細な固体４からなる。弾性樹脂３はジメチル系シリコーンゴム、ＧＥ東芝シリコーン（株）製、ＴＳＥ２５７０−６Ｕ（３０度）用いて射出成形で成形した。微細な固体４としてステンレスボール（ＳＵＳ３０４、φ０．５ｍｍ）を軸体１と弾性樹脂３の間の空間に配した把持部２を軸体１に装着した。ステンレスボールは握った時の圧力で適度に位置を変える。このため把持部２は握った指の形状に変形し、持ちやすさ、滑りにくさといった効果を発揮する。内部のステンレスボールそのものは硬いため、しっかり握った際にも変形しすぎない、腰のある良好な感触が得られる。φ０．５ｍｍのステンレスボールは流動性が高く、変形速度や形状回復速度が速い。
【００２０】
図３は、本発明の実施例２を示す断面図である。参照符号１は軸体、２は筒状の把持部、３は弾性樹脂、４は微細な固体である。
【００２１】
筒状の把持部２は弾性樹脂３と微細な固体４からなる。弾性樹脂３はジメチル系シリコーンゴム、ＧＥ東芝シリコーン（株）製、ＴＳＥ２５７０−６Ｕ（４０度）用いて射出成形で成形した。微細な固体４として樹脂ボール（ＡＢＳ、φ１．０ｍｍ）を弾性樹脂３に形成した空間に配した把持部２を軸体１に装着した。樹脂ボールは握った時の圧力で適度に位置を変える。このため把持部２は握った指の形状に変形し、持ちやすさ、滑りにくさといった効果を発揮する。また、内部の樹脂ボールそのものは硬いため、しっかり握った際にも変形しすぎない、腰のある良好な感触が得られる。φ１．０ｍｍの樹脂ボールは流動性が高いが、空間の密閉率が低いため、変形速度はやや遅くなり、形状記憶時間が長くなる。
【００２２】
図４は、本発明の実施例３を示す断面図である。参照符号１は軸体、２は透明な把持部、３は弾性樹脂、４は微細な固体である。
【００２３】
把持部２は弾性樹脂３と微細な固体４からなる。弾性樹脂３はジメチル系シリコーンゴム、ＧＥ東芝シリコーン（株）製、ＴＳＥ２５７０−６Ｕ（３０度）用いて射出成形で透明なものを成形した。微細な固体４として着色ガラス粉砕物を弾性樹脂３に形成した空間に配した把持部２を軸体１に装着した。着色ガラス粉砕物は握った時の圧力で適度に位置を変える。このため把持部２は握った指の形状に変形し、持ちやすさ、滑りにくさといった効果を発揮する。また、内部の着色ガラス粉砕物そのものは硬いため、しっかり握った際にも変形しすぎない、腰のある良好な感触が得られる。また弾性樹脂３が透明なため、内部に配した着色ガラス粉砕物の色やその移動を楽しむことが出来る。ガラス粉砕物は異形になっていることから、変形速度は遅いが、一度形状が安定すると長時間形状を維持できる。
【００２４】
図５は、本発明の実施例４を示す断面図である。参照符号１は軸体、２は把持部、３は弾性樹脂、４は微細な固体、５は弾性樹脂である。
【００２５】
把持部２は弾性樹脂３と微細な固体４からなる。弾性樹脂３はジメチル系シリコーンゴム、ＧＥ東芝シリコーン（株）製、ＴＳＥ２５７０−６Ｕ（３０度）用いて射出成形で透明なものを成形した。微細な固体４として着色ガラス粉砕物を入れて成形した弾性樹脂５（ウレタンゴム（日本特材（株）、ＮＴＰ−１１ゴム、ゴム硬度２０度）を弾性樹脂３に形成した空間に配した把持部２を軸体１に装着した。また、弾性樹脂５のゴム硬度が低いため把持部２は握った指の形状に変形し、持ちやすさ、滑りにくさといった効果を発揮する。また、内部の着色ガラス粉砕物は硬いため握った時の圧力に反発して適度な刺激となるが、弾性樹脂５に入っているため、しっかり握った際にも変形しすぎない、腰のある感触が得られる。また弾性樹脂３が透明なため、内部に配した着色ガラス粉砕物や弾性樹脂５の色を楽しむことが出来る。
尚、前記弾性樹脂５としては、上記のウレタンゴムにゴムに限定されることなく、シリコーン（ＫＥ１９５０−１０、信越化学工業（株）、ゴム硬度１０度）やポリエチレンゲル（ＨＣ１５Ｎ、（株）コスモ計器製、ゴム硬度１５度）であっても良い。
【００２６】
図６は、本発明の実施例５を示す断面図である。参照符号１は軸体、２は把持部、３は弾性樹脂、４は微細な固体、６は補助材である。
【００２７】
把持部２は弾性樹脂３と微細な固体４からなる。弾性樹脂３はジメチル系シリコーンゴム、ＧＥ東芝シリコーン（株）製、ＴＳＥ２５７０−６Ｕ（３０度）用いて射出成形で透明なものを成形した。微細な固体４として御影石粉砕物、補助材（粘稠物）６としてシリコーングリース（信越化学工業（株）製、Ｇ４２０）を弾性樹脂３に形成した空間に配した把持部２を軸体１に装着した。御影石粉砕物は握った時の圧力で適度に位置を変える。このため把持部２は握った指の形状に変形し、持ちやすさ、滑りにくさといった効果を発揮する。この時グリースによって御影石粉砕物の流動性が滑らかになり、より良好な触感となる。また、内部の御影石粉砕物そのものは硬いため、しっかり握った際にも変形しすぎない、腰のある感触が得られる。また弾性樹脂３が透明なため、内部に配した御影石粉砕物の色やその移動を楽しむことが出来る。
尚、前記粘稠物６としては、上記のシリコーングリースに限定されることなく、ＫＦ９６（信越化学工業（株）製）といったシリコーンオイルやｔｓｋ５３７０（Ｇｅ東芝シリコーン（株）製）といったシリコーンオイルコンパウンド、レチナックス  グリース  ＣＬ（昭和シェル石油（株）製）といった石油系グリースであっても良い。
【００２８】
図７、本発明の実施例６を示す断面図である。参照符号１は軸体、２は把持部、３は弾性樹脂、４は微細な固体である。
【００２９】
把持部２は弾性樹脂３と微細な固体４からなる。弾性樹脂３はオレフィン系エラストマー、サントプレーン１１１−３５（３５度）用いて射出成形で成形した。微細な固体４としてナイロン繊維裁断物（φ０．１ｍｍ）を弾性樹脂３に形成した空間に配した把持部２を軸体１に装着した。ナイロン繊維裁断物は握った時の圧力で適度に位置を変える。このため把持部２は握った指の形状に変形し、持ちやすさ、滑りにくさといった効果を発揮する。内部のナイロン繊維裁断物が複雑に絡み合うことにより適度なクッション感が得られている。また、ナイロン繊維裁断物そのものは硬いため、しっかり握った際にも変形しすぎない、腰のある良好な感触が得られる。
【産業上の利用可能性】
【００３０】
本発明は、軸体の少なくとも把持部する部分に弾性樹脂を設けた軸体に関するものである。その軸体の例としては、シャープペンシルやボールペン、修正ペンなどの筆記具、カッターや彫刻刀、ドライバーなどの工具類、ＰＤＡ（パーソナル  デジタル  アシスタンス）や電子手帳に使用される入力ペン、自転車のハンドルなど多岐にわたる。
【図面の簡単な説明】
【００３１】
【図１】本発明を筆記具の把持部に使用した実施例１の全体図である。
【図２】図１のａ−Ａ‘断面図である。
【図３】実施例２の断面図である。
【図４】実施例３の断面図である。
【図５】実施例４の断面図である。
【図６】実施例５の断面図である。
【図７】実施例６の断面図である。]
【符号の説明】
【００３２】
１    軸体
２    把持部
３    弾性樹脂
４    微細な固体
５    弾性樹脂
６    補助材
【図１】
2005199594.tif 000003
【図２】
2005199594.tif 000004
【図３】
2005199594.tif 000005
【図４】
2005199594.tif 000006
【図５】
2005199594.tif 000007
【図６】
2005199594.tif 000008
【図７】
2005199594.tif 000009